(57)【要約】【課題】ランプソケットと放電灯点灯回路部、放電灯点灯回路部と受光素子のそれぞれを接続するための部品や電線などを不要とする。【解決手段】放電灯を点灯制御する放電灯点灯装置２において、放電灯の口金が装着されるランプソケット２０と、ランプソケット２０を介して放電灯１に電力を供給する放電灯点灯回路部２１と、放電灯１の点灯状態を指示する赤外線リモコン信号を外部から受信する受光素子２３とが同一の基板２４上に実装されている。【選択図】図１
2009054488.tif 000002
【特許請求の範囲】
【請求項１】
放電灯を点灯制御する放電灯点灯装置であって、
前記放電灯の口金が装着されるランプソケットと、
前記ランプソケットを介して前記放電灯に電力を供給する放電灯点灯回路部と、
前記放電灯の点灯状態を指示する赤外線リモコン信号を外部から受信する受光素子と
を備え、
前記ランプソケット、前記放電灯点灯回路部及び前記受光素子が同一の基板上に実装された
ことを特徴とする放電灯点灯装置。
【請求項２】
前記放電灯は環形ランプであり、
前記基板は、実装面の形状が多角形であり、一の角に近接して前記ランプソケットが実装され、残りの角が前記ランプソケットに装着された前記環形ランプの外径より内側に位置する
ことを特徴とする請求項１記載の放電灯点灯装置。
【請求項３】
前記基板の実装面の形状は長方形であることを特徴とする請求項２記載の放電灯点灯装置。
【請求項４】
前記ランプソケットと当該ランプソケットに装着された前記環形ランプの中心とを結ぶ直線と前記基板の短辺とでなす角度は３０°以上５０°以下であることを特徴とする請求項３記載の放電灯点灯装置。
【請求項５】
前記基板の短辺の寸法は前記環形ランプの外径の２√２分の１以下であることを特徴とする請求項３又は４記載の放電灯点灯装置。
【請求項６】
前記基板の短辺と長辺の寸法比は１：１．５〜１：３であることを特徴とする請求項３乃至５のいずれか１項に記載の放電灯点灯装置。
【請求項７】
前記放電灯点灯回路部は、
前記環形ランプに電力供給する電力供給部と、
前記環形ランプの定常時のランプ電流を検知する電流検知部と、
前記電流検知部で検知されたランプ電流が一定値となるように前記電力供給部を制御する制御手段と
を備えることを特徴とする請求項２乃至６のいずれか１項に記載の放電灯点灯装置。
【請求項８】
前記基板において、前記ランプソケットと当該ランプソケットに装着された前記環形ランプの中心とを結ぶ直線上であって当該環形ランプの内側に、前記受光素子が実装されたことを特徴とする請求項１乃至７のいずれか１項に記載の放電灯点灯装置。
【請求項９】
請求項１乃至８のいずれか１項に記載の放電灯点灯装置と、
前記放電灯点灯装置によって点灯制御される放電灯と、
前記放電灯点灯装置及び前記放電灯が取り付けられる器具本体と
を備えることを特徴とする照明器具。
【発明の詳細な説明】
【技術分野】
【０００１】
本発明は、放電灯を点灯制御する放電灯点灯装置及びこれを用いた照明器具に関するものである。
【背景技術】
【０００２】
放電灯を点灯制御する従来の照明器具として、特許文献１の照明器具などが提案されている。特許文献１の照明器具では、赤外線リモコン信号を受光する受光素子がリモコンユニット内に配置され、そのリモコンユニットが、放電灯を点灯させるインバータ回路基板（放電灯点灯回路部）と電線等によって接続されて器具本体に設けられている。
【特許文献１】特開２００３−１６２９２０号公報
【発明の開示】
【発明が解決しようとする課題】
【０００３】
しかしながら、従来の照明器具では、受光素子（リモコンユニット）、放電灯点灯回路部（インバータ回路基板）及びランプソケットが器具本体に別々に取り付けられているため、受光素子と放電灯点灯回路部を接続するための電線やコネクタ、放電灯点灯回路部とランプソケットを接続するための電線やコネクタを必要とする。
【０００４】
本発明は上記の点に鑑みて為されたものであり、その目的は、ランプソケットと放電灯点灯回路部、放電灯点灯回路部と受光素子のそれぞれを接続するための部品や電線などを不要とすることができる放電灯点灯装置及びこれを用いた照明器具を提供することにある。
【課題を解決するための手段】
【０００５】
請求項１に係る放電灯点灯装置の発明は、放電灯を点灯制御する放電灯点灯装置であって、前記放電灯の口金が装着されるランプソケットと、前記ランプソケットを介して前記放電灯に電力を供給する放電灯点灯回路部と、前記放電灯の点灯状態を指示する赤外線リモコン信号を外部から受信する受光素子とを備え、前記ランプソケット、前記放電灯点灯回路部及び前記受光素子が同一の基板上に実装されたことを特徴とする。
【０００６】
請求項２に係る放電灯点灯装置の発明は、請求項１の発明において、前記放電灯は環形ランプであり、前記基板は、実装面の形状が多角形であり、一の角に近接して前記ランプソケットが実装され、残りの角が前記ランプソケットに装着された前記環形ランプの外径より内側に位置することを特徴とする。
【０００７】
請求項３に係る放電灯点灯装置の発明は、請求項２の発明において、前記基板の実装面の形状は長方形であることを特徴とする。
【０００８】
請求項４に係る放電灯点灯装置の発明は、請求項３の発明において、前記ランプソケットと当該ランプソケットに装着された前記環形ランプの中心とを結ぶ直線と前記基板の短辺とでなす角度は３０°以上５０°以下であることを特徴とする。
【０００９】
請求項５に係る放電灯点灯装置の発明は、請求項３又は４の発明において、前記基板の短辺の寸法は前記環形ランプの外径の２√２分の１以下であることを特徴とする。
【００１０】
請求項６に係る放電灯点灯装置の発明は、請求項３乃至５のいずれか１項の発明において、前記基板の短辺と長辺の寸法比は１：１．５〜１：３であることを特徴とする。
【００１１】
請求項７に係る放電灯点灯装置の発明は、請求項２乃至６のいずれか１項の発明において、前記放電灯点灯回路部は、前記環形ランプに電力供給する電力供給部と、前記環形ランプの定常時のランプ電流を検知する電流検知部と、前記電流検知部で検知されたランプ電流が一定値となるように前記電力供給部を制御する制御手段とを備えることを特徴とする。
【００１２】
請求項８に係る放電灯点灯装置の発明は、請求項１乃至７のいずれか１項の発明において、前記基板において、前記ランプソケットと当該ランプソケットに装着された前記環形ランプの中心とを結ぶ直線上であって当該環形ランプの内側に、前記受光素子が実装されたことを特徴とする。
【００１３】
請求項９に係る照明器具の発明は、請求項１乃至８のいずれか１項に記載の放電灯点灯装置と、前記放電灯点灯装置によって点灯制御される放電灯と、前記放電灯点灯装置及び前記放電灯が取り付けられる器具本体とを備えることを特徴とする。
【発明の効果】
【００１４】
請求項１の発明によれば、ランプソケットと放電灯点灯回路部、放電灯点灯回路部と受光素子のそれぞれを接続するための部品や電線などを不要とすることができる。
【００１５】
請求項２の発明によれば、基板が器具本体に取り付けられ、この基板に環形ランプが装着されたときに、基板が環形ランプの外径から外側に大きく出るといった不具合を低減することができるので、器具本体やグローブを必要以上に大きくしたり、器具本体にグローブを取り付けるための構造を変更したりする必要がない。
【００１６】
請求項３の発明によれば、基板が器具本体に取り付けられ、この基板に環形ランプが装着されたときに、基板が環形ランプの外径から外側に大きく出るといった不具合を低減することができるので、器具本体やグローブを必要以上に大きくしたり、器具本体にグローブを取り付けるための構造を変更したりする必要がない。
【００１７】
請求項４の発明によれば、基板の実装面の面積を大きくすることができる。
【００１８】
請求項５の発明によれば、基板のうち環形ランプの外径の外側に出る範囲を小さくすることができる。
【００１９】
請求項６の発明によれば、基板の実装面の面積を大きくすることができる。
【００２０】
請求項７の発明によれば、異なる定格ランプ電力であっても同じランプ電流を有する複数種類の環形ランプのそれぞれに対して定格点灯させることができる。
【００２１】
請求項８の発明によれば、基板に実装されたランプソケットとこのランプソケットに装着された環形ランプの中心とを結ぶ直線上であって環形ランプの内部に受光素子が実装されるので、環形ランプの光ノイズの影響を低減することができ、受光素子による赤外線リモコン信号の受信性能の低下を防止することができる。
【００２２】
請求項９の発明によれば、放電灯点灯装置において、ランプソケットと放電灯点灯回路部、放電灯点灯回路部と受光素子のそれぞれを接続するための部品や電線などを不要とすることができる。
【発明を実施するための最良の形態】
【００２３】
（実施形態１）
まず、実施形態１の照明器具の構成について図１〜３を用いて説明する。この照明器具は、図２に示すように、放電灯１と、放電灯１を点灯制御する放電灯点灯装置２と、放電灯１及び放電灯点灯装置２が取り付けられる器具本体３とを備えている。放電灯１は２重管環形ランプである。
【００２４】
器具本体３は、丸型に形成され、中心付近に開口部３０が設けられている。この開口部３０は天井面（図示せず）に取り付けて天井側の電源線から放電灯点灯装置２へ電流を供給するために用いられる。また、器具本体３は、全体がグローブ４で覆われている。
【００２５】
放電灯点灯装置２は、図１に示すように、放電灯１の口金１０（図２参照）が装着されるランプソケット２０と、ランプソケット２０を介して放電灯１に電力を供給する放電灯点灯回路部２１と、ＬＥＤの常夜灯２２と、放電灯１又は常夜灯２２の点灯状態を指示する赤外線リモコン信号を外部から受信する受光素子２３と、１枚の基板２４と、基板２４を覆う金属製のケース２５（図２（ｂ）参照）とを備えている。上記放電灯点灯装置２は、図２に示すように器具本体３に配置され、グローブ４で覆われている。
【００２６】
ケース２５には、複数の開口部が形成されており、各開口部を介してランプソケット２０、常夜灯２２、受光素子２３が表面に表れている。
【００２７】
放電灯点灯回路部２１は、図３に示すように、商用電源ＡＣを直流に変換するために昇圧チョッパ回路により構成されるＡＣ−ＤＣ変換部５０と、その直流電圧を高周波に変換するインバータ部５１と、それらを制御する点灯回路制御部５２と、受光素子２３で受信された赤外線リモコン信号に基づく信号を点灯回路制御部５２又は常夜灯２２に出力するリモコン制御部５３とを備えている。インバータ部５１の出力はランプソケット２０を介して放電灯１へ供給される。なお、ＡＣ−ＤＣ変換部５０及びインバータ部５１の動作については一般的なもののため、詳細な説明は省略する。
【００２８】
本実施形態の基板２４は、図１に示すように、実装面の形状が長方形に形成されたものであり、ランプソケット２０、放電灯点灯回路部２１、常夜灯２２及び受光素子２３が実装されている。
【００２９】
以上、本実施形態によれば、同一基板２４にランプソケット２０、放電灯点灯回路部２１及び受光素子２３が実装されていることにより、ランプソケット２０と放電灯点灯回路部２１、放電灯点灯回路部２１と受光素子２３のそれぞれを接続するための部品や電線などを不要とすることができる。
【００３０】
（実施形態２）
ところで、図２に示すような照明器具においては、グローブ４を介して外部を照射する光にムラができやすくなるという可能性がある。つまり、放電灯１が点灯しているとき、その光はグローブ４を通して外部へ照射される。このとき、放電灯１の光は直接グローブ４ヘと向かうものと、器具本体３にて反射されてグローブ４へ向かうものがある。ここで、図２のＡ部では、器具本体３に反射する部分と、ケース２５にて反射する部分が隣り合っている。つまり、反射面との距離が異なるため、照明器具から照射される光に差ができ、ムラができてしまう可能性がある。
【００３１】
そこで、実施形態２の照明器具は、図４に示すように、放電灯点灯装置２ａにおいて、基板２４の角２４０に近接してランプソケット２０が実装され、図６に示すように、残りの３つの角２４１，２４１，２４１がランプソケット２０（図４参照）に装着された環形ランプ１の外径より内側に位置する点で、実施形態１と相違している。つまり、図４に示す長方形状の基板２４の角２４０には、長辺及び短辺と斜めに交わるようにランプソケット２０が実装されている。なお、実施形態１と同様の構成要素については、同一の符号を付して説明を省略する。
【００３２】
ケース２５は、図５に示すように、基板２４を覆っている。このケース２５には開口部２５０が形成されており、ランプソケット２０の上部分（放電灯１との装着部分）は開口部２５０から外部に突出して設けられている。また、常夜灯２２（図４参照）の上側にも光照射用としての開口部２５１が形成され、受光素子２３（図４参照）の上側にもリモコン信号取り込み用としての開口部２５２が形成されている。
【００３３】
また、図６に示すように、環形ランプ１の中心とランプソケット２０とを結ぶ直線と基板２４の各辺とが４５°で交わる角度になるようにランプソケット２０が基板２４に配置されている。
【００３４】
もともと、環形ランプ１の口金１０は発光しないため周囲に比べて若干暗く、この付近は照明器具から照射される光にムラができている。したがって、本実施形態のように基板２４（ケース２５）が配置されることによって、環形ランプ１の光がケース２５で反射される部分を環形ランプ１の口金１０の近傍に限定することにより、光のムラを目立ちにくくすることができる。
【００３５】
以上、本実施形態によれば、基板２４の角２４０にランプソケット２０が実装され、基板２４が器具本体３に取り付けられ、この基板２４に環形ランプ１が装着されたときに、基板２４が環形ランプ１の外径から外側に大きく出るといった不具合を低減することができるので、器具本体３やグローブ４を必要以上に大きくしたり、器具本体３にグローブ４を取り付けるための構造を変更したりする必要がない。
【００３６】
また、環形ランプ１直下に放電灯点灯装置２ａが配置されているのは、環形ランプ１の口金１０付近に限定されるため、環形ランプ１からグローブ４を通して外部へ照射される光にムラが生じにくいという効果も得られる。
【００３７】
（実施形態３）
ところで、リモコンからのリモコン信号が赤外線であるのため、受光素子２３において環形ランプ１の光がノイズとなる場合がある。
【００３８】
そこで、実施形態３の照明器具は、図７，８に示すように、放電灯点灯装置２ｂの基板２４において、ランプソケット２０と上記ランプソケット２０に装着された環形ランプ１の中心とを結ぶ直線上であって上記環形ランプ１の内側に、受光素子２３が実装されている点で、実施形態２と相違している。なお、実施形態２と同様の構成要素については、同一の符号を付して説明を省略する。
【００３９】
環形ランプ１の口金１０は発光しないため、口金１０付近は、比較的光出力が小さい。したがって、環形ランプ１の口金１０、つまりはランプソケット２０付近に受光素子２３を配置することが望ましい。また、ランプソケット２０は放電灯点灯装置２ｂの角２４０に配置されているため、環形ランプ１の内径内に受光素子２３が配置されている。よって、受光素子２３の配置場所としては、環形ランプ１の中心と基板２４に実装されたランプソケット２０とを結ぶ直線上で、かつ、環形ランプ１内が最も望ましい。
【００４０】
具体的な構成として、本実施形態の放電灯点灯装置２ｂは、図８に示すように、直径５００ｍｍの丸型の器具本体３に配置され、外径４００ｍｍであって定格電力が１００Ｗの環形ランプ１を点灯制御している。また、環形ランプ１の中心とランプソケット２０とを結ぶラインと基板２４の短辺（９０ｍｍ）の延長ラインとが３５°の角度で交わるように、ランプソケット２０が基板２４に配置されている（図７参照）。そして、環形ランプ１の中心とランプソケット２０とを結ぶライン上に受光素子２３が位置している（図７参照）。なお、基板２４（放電灯点灯装置２ｂ）の長辺の寸法は１８０ｍｍ、短辺の寸法は９０ｍｍである。
【００４１】
以上、実施形態３によれば、基板２４に実装されたランプソケット２０とこのランプソケット２０に装着された環形ランプ１の中心とを結ぶ直線上であって環形ランプ１の内部に受光素子２３が実装されるので、受光素子２３が環形ランプ１の口金１０付近で、比較的環形ランプ１の発光部から遠い位置に実装されているため、環形ランプ１の光ノイズの影響を低減することができ、受光素子２３による赤外線リモコン信号の受信性能の低下を防止することができる。
【００４２】
なお、実施形態３の変形例として、図９に示すように、実施形態３と同様の器具本体３及びグローブ４を用いて、異なる外径（３４２ｍｍ）であって異なる定格電力（８５Ｗ）の環形ランプ１が器具本体３に取り付けられた照明器具であってもよい。
【００４３】
放電灯点灯装置２は、電子部品の定数変更にて、定格電力８５Ｗ用のものにしている。また、器具本体３の開口部３０は直径７０ｍｍとしている。
【００４４】
実施形態３と同様に、環形ランプ１の中心とランプソケット２０とを結ぶラインと基板２４の短辺の延長ラインとが３５°の角度で交わるように、ランプソケット２０が基板２４に配置されている。なお、基板２４（放電灯点灯装置２ｂ）の長辺の寸法は１８０ｍｍ、短辺の寸法は９０ｍｍである。
【００４５】
このとき、（環形ランプ１の外径／２）×ｃｏｓθ＝１４０．１ｍｍ、器具本体３の開口部３０の半径が３５ｍｍ、基板２４の短辺の寸法が９０ｍｍであり、（基板２４の短辺の寸法）＋（器具本体３の開口部３０の半径）＜（環形ランプ１の外径／２）×ｃｏｓθという大小関係にあるので、放電灯点灯装置２ｂと器具本体３の開口部３０が干渉することなく構成することができる。
【００４６】
また、２×（環形ランプ１の外径／２）×ｓｉｎθ＝１９６ｍｍ、基板２４の長辺の寸法が１８０ｍｍであるため、放電灯点灯装置２ｂが環形ランプ１の外径から外側に突出しない。
【００４７】
（実施形態４）
実施形態４の照明器具は、放電灯点灯装置２ａの放電灯点灯回路部２１に、図１０に示すように、抵抗から構成され環形ランプ１の定常時のランプ電流を検知する電流検知部５４を備え、点灯回路制御部５２が電流検知部５４で検知されたランプ電流が一定値となるようにインバータ部５１を制御する点で、実施形態１と相違している。つまり、本実施形態の点灯回路制御部５２ａは、電流検知部５４の両端電圧をモニタして環形ランプ１のランプ電流が一定となるようにインバータ部５１を制御している。なお、図１０のインバータ部５１は、図３のインバータ部５１と同様に、入力側が図３のＡＣ−ＤＣ変換部５０と接続し、出力側が図３のランプソケット２０と接続する。また、図１０の点灯回路制御部５２ａは、図３の点灯回路制御部５２と同様に、図３のＡＣ−ＤＣ変換部５０及びリモコン制御部５３と接続する。
【００４８】
ここで、図１１には、同一形状の器具本体３を用いて同一形状の放電灯点灯装置２を用いて、異なる電力定格の環形ランプ１が器具本体３に取り付けられた照明器具を示す。図１１（ａ）は、定格電力１００Ｗの環形ランプ１であり、図１１（ｂ）は（ａ）のものより定格電力が小さい（定格電力８５Ｗ）環形ランプ１である。環形ランプ１の外径も定格電力１００Ｗのもののほうが、定格電力８５Ｗのものよりも大きい。ただし、２つの環形ランプ１の定格ランプ電流は同じ（例えば４３０ｍＡ）とする。
【００４９】
ここで、図１０に示す点灯回路制御部５２ａが電流検知部５４である抵抗の両端電圧をモニタすることによって、環形ランプ１のランプ電流を検知し、ランプ電流を４３０ｍＡとなるよう制御すれば、どちらの環形ランプ１に対しても定格点灯させることができる。
【００５０】
したがって、図１１に示すように、異なる定格電力の環形ランプ１であっても、ランプ電流が同じであれば、同一形状の器具本体３及び同一形状の放電灯点灯装置２を用いて照明器具を構成することができる。
【００５１】
本実施形態によれば、まったく同一の放電灯点灯装置２ａにおいて、その器具本体３内における配置場所を変えることにより、外径の異なる環形ランプ１を負荷とする照明器具を構成することができる。
【００５２】
また、ランプ電流を検出し、このランプ電流を定格ランプ電流になるように制御することによって、異なる定格ランプ電力であっても同じランプ電流を有する複数種類の環形ランプ１のそれぞれに対して定格点灯させることができる。
【００５３】
（実施形態５）
実施形態５の照明器具は、図１２に示すように、放電灯点灯装置２ｃにおいて、基板２４ａの実装面が、長方形ではなく、長方形状の基板からＡ部を切り取った五角形である点で、実施形態２と相違している。基板が大きな長方形である場合、基板の長辺の寸法が長くなると、図１２のＡ部で環形ランプ１の直下に基板が配置されることになってしまい、グローブ４を通して外部へ照射される光にムラが生じたりしてしまう。また、図１２のＡ部で基板が環形ランプ１の外側に突出してしまうと、グローブ４を取付けるための構造が複雑化したり、器具本体３やグローブ４の大型化の必要が生じたりしてしまう。
【００５４】
これに対して、本実施形態によれば、基板２４ａが器具本体３に取り付けられ、この基板２４ａに環形ランプ１が装着されたときに、基板２４ａが環形ランプ１の外径から外側に大きく出るといった不具合を低減することができるので、器具本体３やグローブ４を必要以上に大きくしたり、器具本体３にグローブ４を取り付けるための構造を変更したりする必要がない。
【００５５】
（実施形態６）
実施形態６の照明器具は、放電灯点灯装置２ａにおいて、図１３に示すように環形ランプ１の中心とランプソケット２０とを結ぶ直線と基板２４の短辺とが交わる角度をθとすると、θ＝約４５°でランプソケット２０が基板２４に配置されることにより、放電灯点灯装置２の外形が環形ランプ１の外径から外側に出る範囲を極力小さくすることができる。このとき、基板２４の短辺の寸法は、｛（環形ランプ１の外径／２）×ｃｏｓθ−α｝で導かれる数値となる。αは器具本体３の開口部３０の半径である。角度θが４５°、α＝０としたとき、基板２４の短辺の寸法は（環形ランプ１の外径／２√２）となる。実際には、器具本体３に開口部３０が形成されており、α＝０とはできないため、基板２４の短辺の寸法は（環形ランプ１の外径／２√２）以下となる。
【００５６】
また、基板２４の面積Ｓについて、定格電力が１００Ｗであって外径が４００ｍｍの２重管環形ランプ１を例にとって説明する。器具本体３の開口部３０の直径２αを１００ｍｍとすると、基板２４の短辺の寸法は｛（環形ランプ１の外径／２）×ｃｏｓθ−α｝、基板２４の長辺の寸法は｛２×（環形ランプ１の外径／２）×ｓｉｎθ｝となる。これらを用いて基板２４の面積Ｓ（＝基板２４の短辺の寸法×基板２４の長辺の寸法）と角度θとの関係を求めると、図１４に示すとおりになる。
【００５７】
図１４に示すように、角度θが３９．５°付近で面積Ｓは最大となる。面積Ｓを大きくしようとすれば、角度θはこのあたりに設定すべきであり、角度θが３９．５°のときの面積Ｓを１００％とすると、角度θが２８．３°以上５０．４°以下の範囲では、角度θが３９．５°のときの面積との面積比が９０％以上１００％以下、角度θが３１．６°以上４７．２°以下の範囲なら面積比が９５％以上１００％以下となる。基板２４の短辺と長辺の寸法比（図１４の縦横の長さの比）は、θが２８．３°以上４７．２°以下の範囲のとき１．５０以上３．９７以下となり、θが３１．６°以上４７．２°以下の範囲のとき１．７４以上３．４１以下である。
【００５８】
基板２４には放電灯点灯回路部２１だけでなく、ランプソケット２０、受光素子２３等が実装されるため（図４参照）、基板２４の面積Ｓを大きくする必要があるため、角度θは３０°以上５０°以下（さらに好ましくは３５°以上４５°以下）、基板２４の短辺と長辺の寸法比は、１：１．５〜１：３（さらに好ましくは１：１．７〜１：２．５）とするべきである。
【００５９】
以上、本実施形態によれば、ランプソケット２０と上記ランプソケット２０に装着された環形ランプ１の中心とを結ぶ直線と基板２４の短辺とでなす角度θを３０°以上５０°以下とすることによって、又は基板２４の短辺と長辺の寸法比を１：１．５〜１：３とすることによって、基板２４の実装面の面積Ｓを大きくすることができる。
【００６０】
また、基板２４の短辺の寸法を環形ランプ１の外径の２√２分の１以下とすることによって、基板２４のうち環形ランプ１の外径の外側に出る範囲を小さくすることができる。
【図面の簡単な説明】
【００６１】
【図１】実施形態１の放電灯点灯回路の実装基板例を示す図である。
【図２】同上の照明器具の構成図である。
【図３】同上の放電灯点灯回路の回路図である。
【図４】実施形態２の放電灯点灯回路の実装基板例を示す図である。
【図５】同上の放電灯点灯装置の外観図である。
【図６】同上の照明器具の構成図である。
【図７】実施形態３の放電灯点灯回路の実装基板例を示す図である。
【図８】同上の照明器具の構成図である。
【図９】同上の変形例の照明器具の構成図である。
【図１０】実施形態４の放電灯点灯回路の実装基板例を示す図である。
【図１１】同上の変形例の照明器具の構成図である。
【図１２】実施形態５の照明器具の構成図である。
【図１３】実施形態６の照明器具の構成図である。
【図１４】同上の照明器具において基板の配置について説明するための図である。
【符号の説明】
【００６２】
１  放電灯
１０  口金
２，２ａ〜２ｃ  放電灯点灯装置
２０  ランプソケット
２１  放電灯点灯回路部
２３  受光素子
２４  基板
【図１】
2009054488.tif 000003
【図２】
2009054488.tif 000004
【図３】
2009054488.tif 000005
【図４】
2009054488.tif 000006
【図５】
2009054488.tif 000007
【図６】
2009054488.tif 000008
【図７】
2009054488.tif 000009
【図８】
2009054488.tif 000010
【図９】
2009054488.tif 000011
【図１０】
2009054488.tif 000012
【図１１】
2009054488.tif 000013
【図１２】
2009054488.tif 000014
【図１３】
2009054488.tif 000015
【図１４】
2009054488.tif 000016